(57)【要約】【課題】プラス端子を簡単かつ容易に組み立てして、確実に電池のプラス電極に電気接触させる。【解決手段】充電器は、電池２０のプラス電極２１をプラス端子３に接触させ、マイナス電極２２をマイナス端子４に接触させて電池２０を充電する。プラス端子３は、弾性金属板５と絶縁カバー６とを備える。弾性金属板５は、一端部を折り返すように折曲して先端部に弾性片５Ａを設けている。この弾性片５Ａに絶縁カバー６を連結して、絶縁カバー６でもって弾性片５Ａの両側に一対の絶縁リブ７を設けている。一対の絶縁リブ７の間隔は、電池２０のプラス電極２１の外径よりも広く、かつマイナス電極２２の外径よりも狭くしている。さらに、弾性金属板５は、弾性片５Ａを裁断して内側に突出する抜止片１２を弾性片５Ａに設けており、弾性片５Ａの抜止片１２を絶縁カバー６の係止部１３に係止して、絶縁カバー６を弾性片５Ａに抜けないように連結している。【選択図】図１２
2006059770.tif 000002
【特許請求の範囲】
【請求項１】
凸部電極のプラス電極(21)と平面電極のマイナス電極(22)である電池(20)を脱着できるように装着する装着部(2)を有するケース(1)と、ケース(1)の装着部(2)に設けられて、装着部(2)に装着される電池(20)のプラス電極(21)に接触される位置に配置しているプラス端子(3)と、マイナス電極(22)に接触される位置に配置しているマイナス端子(4)とを備え、
プラス端子(3)をプラス電極(21)に、マイナス端子(4)をマイナス電極(22)に接触させて、電池(20)を充電するようにしてなる充電器であって、
プラス端子(3)が弾性金属板(5)と、この弾性金属板(5)に装着している絶縁カバー(6)とを備えており、
弾性金属板(5)は一端部を折り返すように折曲して、電池(20)のプラス電極(21)に接触する弾性片(5A)を先端部に設けており、この弾性片(5A)に絶縁カバー(6)を連結して、絶縁カバー(6)でもって弾性片(5A)の両側に一対の絶縁リブ(7)を設けており、一対の絶縁リブ(7)の間隔は、電池(20)のプラス電極(21)の外径よりも広く、かつマイナス電極(22)の外径よりも狭くして、プラス電極(21)を絶縁リブ(7)の間に案内して弾性片(5A)に接触でき、マイナス電極(22)を絶縁リブ(7)で弾性片(5A)から離して非接触状態とするようにしており、
さらに、弾性金属板(5)が、弾性片(5A)を裁断して内側に突出する抜止片(12)を弾性片(5A)に設けて、絶縁カバー(6)が、抜止片(12)を係止する係止部(13)を有し、弾性片(5A)の抜止片(12)を絶縁カバー(6)の係止部(13)に係止して、絶縁カバー(6)を弾性片(5A)に抜けないように連結してなる充電器。
【請求項２】
絶縁カバー(6)が、弾性片(5A)の両側を保持する隙間(10)を有し、弾性片(5A)を隙間(10)に案内して、弾性片(5A)に絶縁カバー(6)を連結している請求項１に記載される充電器。
【請求項３】
凸部電極のプラス電極(21)と平面電極のマイナス電極(22)である電池(20)を脱着できるように装着する装着部(2)を有するケース(1)と、ケース(1)の装着部(2)に設けられて、装着部(2)に装着される電池(20)のプラス電極(21)に接触される位置に配置しているプラス端子(3)と、マイナス電極(22)に接触される位置に配置しているマイナス端子(4)とを備え、
プラス端子(3)をプラス電極(21)に、マイナス端子(4)をマイナス電極(22)に接触させて、電池(20)を充電するようにしてなる充電器であって、
装着部(2)の一方の端部である第１の端部(2A)に、固定側のプラス端子(3A)と固定側のマイナス端子(4A)を配置して、装着部(2)の他方の端部である第２の端部(2B)には、誤差吸収側のプラス端子(3B)と誤差吸収側のマイナス端子(4B)を配置しており、
固定側のプラス端子(3A)と誤差吸収側のマイナス端子(4B)は互いに対向する位置に、また、固定側のマイナス端子(4A)と誤差吸収側のプラス端子(3B)とは互いに対向する位置に配置され、
プラス端子(3)とマイナス端子(4)は弾性金属板(5)の一端部を折り返すように折曲して先端部に弾性片(5A)を設けており、
誤差吸収側のプラス電極(21)及びマイナス端子(4)は、弾性片(5A)を電池(20)の軸方向に弾性変形できる最大変形量を、固定側のプラス端子(3A)及びマイナス端子(4)の弾性片(5A)を電池(20)の軸方向に弾性変形できる最大変形量よりも大きく、
かつ、固定側のプラス端子(3A)は、弾性片(5A)の両側にケース(1)に一体的に成形している絶縁リブ(7)を配置しており、
誤差吸収側のプラス端子(3B)は、弾性金属板(5)の弾性片(5A)に弾性片(5A)と共に電池(20)の軸方向に移動できるように絶縁カバー(6)を連結しており、この絶縁カバー(6)でもって、弾性片(5A)の両側に一対の絶縁リブ(7)を配置しており、
一対の絶縁リブ(7)の間隔は、電池(20)のプラス電極(21)の外径よりも広く、かつマイナス電極(22)の外径よりも狭くして、プラス電極(21)の凸部電極を絶縁リブ(7)の間に案内して弾性片(5A)に接触でき、マイナス電極(22)を絶縁リブ(7)で弾性片(5A)から離して非接触状態とするようにしてなる充電器。
【請求項４】
絶縁カバー(6)が、弾性片(5A)の両側を保持する隙間(10)を有し、弾性片(5A)を隙間(10)に案内して、弾性片(5A)に絶縁カバー(6)を連結している請求項３に記載される充電器。
【請求項５】
ケース(1)に回路基板(17)を内蔵しており、この回路基板(17)に弾性金属板(5)の一端を固定している請求項１または３に記載される充電器。
【発明の詳細な説明】
【技術分野】
【０００１】
本発明は、主として、単３電池と、単３電池と同じ寸法である２本の電池を平行に連結しているパック電池の両方を脱着できるように装着して充電できる充電器に関する。
【背景技術】
【０００２】
単３電池は、凸部電極のプラス電極と平面電極のマイナス電極を端部に設けている。この電池は、正常に充電するために、充電器のプラス端子とマイナス端子に正確に接触させる必要がある。ユーザーが電池を逆向きに装着部にセットして、充電器のプラス端子とマイナス端子に接触させると、電池は正常に充電されない。また、逆向きにセットされた電池に充電器の端子が接触すると、電池に大きな放電電流が流れるので、電池と充電器の両方に悪い影響を与える。この弊害を防止するために、逆向きに装着される電池の電極には接触しない端子構造の充電器が開発されている（特許文献１参照）。
【特許文献１】特開平１０−１２２０６号公報
【発明の開示】
【発明が解決しようとする課題】
【０００３】
この公報は、逆方向にセットされた電池に電流を流さない電極構造の充電器を記載している。充電器は、図１に示すように、装着部４２の対向する端部にプラス端子４３とマイナス端子４４を設けている。プラス端子４３は電池のプラス電極にのみ接触し、マイナス端子４４は電池のマイナス電極にのみ接触する構造として、逆挿入された電池の電流を遮断する。このことを実現するために、プラス端子４３及びマイナス端子４４は、絶縁材料からなる板体４５、４６と、導電材料からなる線状ばね４７、４８とで構成される。マイナス端子４４の板体４６は、図２に示すように、本体前面に縦方向に向く一対の凹溝４９を形成して、この凹溝４９に線状ばね４８を配置している。この一対の凹溝４９間の距離は、ここに案内される線状ばね４８がプラス電極に接触しないように、プラス電極の凸部の直径よりも大きくしている。プラス端子４３の板体４５は、図３に示すように、中央の本体両側の上部から下部にかけてリブ５１を形成し、本体の前面に縦方向に向く一対の凹溝５０を形成している。一対の凹溝５０間の距離は、ここに案内される線状ばね４７を電池のプラス電極に接触させるように、プラス電極の直径よりも小さい寸法としている。リブ５１の間隔と高さは、マイナス電極が線状ばね４７に接触しない寸法としている。
【０００４】
この構造の充電器は、平行に配設している２列の線状ばねの間隔と、線状ばねの両側に設けているリブとで、出力端子を、電池のプラス電極とマイナス電極にのみ接触する構造としている。
【０００５】
しかしながら、この構造によると線状ばねを複雑な形状に折曲して、これを複雑な形状の板体の決められた位置に正確に連結するので、線状ばねを板体に連結するのに手間がかかる欠点がある。また、弾性的に変形する線状ばねを折曲して板体に連結するので、連結した状態で線状ばねが板体から位置ずれしやすい欠点もある。
【０００６】
本発明の目的は、この欠点を解決することを目的に開発されたもので、本発明の大切な目的は、弾性金属板と絶縁カバーとで構成されるプラス端子を簡単かつ容易に組み立てでき、しかも、弾性金属板を確実に位置ずれしないように絶縁カバーに連結して、プラス端子を確実に電池のプラス電極に電気接触できる充電器を提供することにある。
【０００７】
さらに、前述の特許文献１に記載される充電器は、装着部の一端にコイルバネを配置して、コイルバネで電池をプラス端子とマイナス端子に押し付ける構造としている。コイルバネは伸縮して電池の一端を押圧する。また、プラス端子とマイナス端子も、板体に連結している線状ばねを弾性変形させて、電池の一端を押圧する。したがって、この充電器は、伸縮するコイルバネと、軸方向に伸縮するように変形するプラス端子とマイナス端子で電池を両側から弾性的に挟着して支持する。この状態で支持される電池は、軸方向に移動できるので、装着部の定位置にしっかりと支持されない。このため、安定して確実に装着部に電池をセットして充電できない欠点がある。
【０００８】
二次電池として最も多く使用されるのは単３電池である。単３電池は、電池のタイプや容量が異なる種々のものが市販されている。たとえばニッケル水素電池は、容量の大小によって全長がわずかに変化する。全長の相違は、長いものと短いもので約１ｍｍ以上にもなる。このように全長が異なる電池の両端に、コイルバネと、プラス端子及びマイナス端子を接触させる充電器は、コイルバネの伸縮量と、プラス端子及びマイナス端子の弾性変位量を大きくする必要がある。ところが、この構造にすると、装着部に短い電池がセットされると、変位量の大きいコイルバネと、プラス端子及びマイナス端子によって、正常に装着されたときの円柱状電池の中心軸線に対してさらにずれやすくなる。このため、短い電池を安定してしっかりと保持するのが難しくなる。短い電池を確実に保持できるように、コイルバネとプラス端子及びマイナス端子の弾性変位量を小さくすると、全長が異なる種々の電池を充電できなくなる。長い電池を充電できるようにすると、短い電池にコイルバネとプラス端子及びマイナス端子を接触できなくなり、反対に短い電池にコイルバネとプラス端子及びマイナス端子を接触できるようにすると、長い電池を装着できなくなるからである。
【０００９】
本発明は、さらにこの欠点を解消することを目的に開発されたもので、本発明の大切な目的は、長さが異なる電池を装着部の定位置にしっかりと保持しながら、プラス端子とマイナス端子を電池に確実に接触させて安定して充電でき、しかも逆挿入された電池の電流を確実に遮断できる充電器を提供することにある。
【課題を解決するための手段】
【００１０】
本発明の請求項１の充電器は、凸部電極のプラス電極２１と平面電極のマイナス電極２２である電池２０を脱着できるように装着する装着部２を有するケース１と、ケース１の装着部２に設けられて、装着部２に装着される電池２０のプラス電極２１に接触される位置に配置しているプラス端子３と、マイナス電極２２に接触される位置に配置しているマイナス端子４とを備える。充電器は、プラス端子３をプラス電極２１に、マイナス端子４をマイナス電極２２に接触させて電池２０を充電する。プラス端子３は、弾性金属板５と、この弾性金属板５に装着している絶縁カバー６とを備えている。弾性金属板５は、一端部を折り返すように折曲して、電池２０のプラス電極２１に接触する弾性片５Ａを先端部に設けている。この弾性片５Ａに絶縁カバー６を連結して、絶縁カバー６でもって弾性片５Ａの両側に一対の絶縁リブ７を設けている。一対の絶縁リブ７の間隔は、電池２０のプラス電極２１の外径よりも広く、かつマイナス電極２２の外径よりも狭くして、プラス電極２１の凸部電極を絶縁リブ７の間に案内して弾性片５Ａに接触でき、マイナス電極２２を絶縁リブ７で弾性片５Ａから離して非接触状態とするようにしている。さらに、弾性金属板５は、弾性片５Ａを裁断して内側に突出する抜止片１２を弾性片５Ａに設けている。絶縁カバー６は、抜止片１２を係止する係止部１３を有する。この充電器は、弾性片５Ａの抜止片１２を絶縁カバー６の係止部１３に係止して、絶縁カバー６を弾性片５Ａに抜けないように連結している。
【００１１】
本発明の請求項２の充電器は、請求項１に記載される充電器であって、絶縁カバー６が、弾性片５Ａの両側を保持する隙間１０を有し、弾性片５Ａを隙間１０に案内して、弾性片５Ａに絶縁カバー６を連結している。
【００１２】
本発明の請求項３の充電器は、凸部電極のプラス電極２１と平面電極のマイナス電極２２である電池２０を脱着できるように装着する装着部２を有するケース１と、ケース１の装着部２に設けられて、装着部２に装着される電池２０のプラス電極２１に接触される位置に配置しているプラス端子３と、マイナス電極２２に接触される位置に配置しているマイナス端子４とを備える。充電器は、プラス端子３をプラス電極２１に、マイナス端子４をマイナス電極２２に接触させて電池２０を充電する。この充電器は、装着部２の一方の端部である第１の端部２Ａに、固定側のプラス端子３Ａと固定側のマイナス端子４Ａを配置して、装着部２の他方の端部である第２の端部２Ｂには、誤差吸収側のプラス端子３Ｂと誤差吸収側のマイナス端子４Ｂを配置している。固定側のプラス端子３Ａと誤差吸収側のマイナス端子４Ｂは互いに対向する位置に、また、固定側のマイナス端子４Ａと誤差吸収側のプラス端子３Ｂは互いに対向する位置に配置している。プラス端子３とマイナス端子４は、弾性金属板５の一端部を折り返すように折曲して先端部に弾性片５Ａを設けている。誤差吸収側のプラス端子３Ｂ及び誤差吸収側のマイナス端子４Ｂは、弾性片５Ａを電池２０の軸方向に弾性変形できる最大変形量を、固定側のプラス端子３Ａ及び固定側のマイナス端子４Ａの弾性片５Ａを電池２０の軸方向に弾性変形できる最大変形量よりも大きくしている。固定側のプラス端子３Ａは、弾性片５Ａの両側に、ケース１に一体的に成形している絶縁リブ７を配置している。誤差吸収側のプラス端子３Ｂは、弾性金属板５の弾性片５Ａに弾性片５Ａと共に電池２０の軸方向に移動できるように絶縁カバー６を連結しており、この絶縁カバー６でもって、弾性片５Ａの両側に一対の絶縁リブ７を配置している。一対の絶縁リブ７の間隔は、電池２０のプラス電極２１の外径よりも広く、かつマイナス電極２２の外径よりも狭くして、プラス電極２１の凸部電極を絶縁リブ７の間に案内して弾性片５Ａに接触でき、マイナス電極２２を絶縁リブ７で弾性片５Ａから離して非接触状態とするようにしている。
【００１３】
本発明の請求項４の充電器は、請求項３に記載される充電器であって、絶縁カバー６が、弾性片５Ａの両側を保持する隙間１０を有し、弾性片５Ａを隙間１０に案内して、弾性片５Ａに絶縁カバー６を連結している。
【００１４】
本発明の請求項５の充電器は、請求項１または３に記載される充電器であって、ケース１に回路基板１７を内蔵しており、この回路基板１７に弾性金属板５の一端を固定している。
【発明の効果】
【００１５】
本発明の請求項１の充電器は、弾性金属板と絶縁カバーとで構成されるプラス端子を簡単かつ容易に組み立てでき、しかも、弾性金属板を確実に位置ずれしないように絶縁カバーに連結して、プラス端子を確実に電池のプラス電極に電気接触できる特長がある。それは、この充電器が、プラス端子に、一端部を折り返すように折曲して先端部に弾性片を設けてなる弾性金属板と、この弾性金属板に装着している絶縁カバーとを備えており、弾性金属板の弾性片を裁断して内側に突出する抜止片を設けて、弾性片の抜止片を絶縁カバーの係止部に係止して、絶縁カバーを弾性片に抜けないように連結しているからである。
【００１６】
さらに、本発明の請求項３の充電器は、長さが異なる電池を装着部の定位置にしっかりと保持しながら、プラス端子とマイナス端子を電池に確実に接触させて安定して充電できる特長がある。それは、この充電器が、装着部の一方の端部に、固定側のプラス端子とマイナス端子を配置して、他方の端部には、誤差吸収側のプラス端子とマイナス端子を配置すると共に、これらのプラス端子とマイナス端子には、弾性金属板の一端部を折り返すように折曲して先端部に弾性片を設けており、誤差吸収側のプラス端子とマイナス端子における、弾性片の電池の軸方向に弾性変形できる最大変形量を、固定側のプラス端子とマイナス端子の最大変形量よりも大きくしているからである。この構造の充電器は、装着部にセットされる電池を、最大変形量の大きい誤差吸収側の弾性片でもって、固定側のプラス端子とマイナス端子に押し付けることによって、最大変形量の小さい固定側のプラス端子とマイナス端子で定位置に装着される。このため、多少全長が異なる電池であっても、誤差吸収側のプラス端子とマイナス端子の弾性変位量が変化して吸収することにより、装着部の定位置にしっかりと保持して、プラス端子とマイナス端子を電池に確実に接触できる。
また、この構造の充電器は、図８に示すように、２本の電池を逆向きに平行に連結してなるパック電池を装着するときには、誤差吸収側のプラス端子とマイナス端子の弾性により、固定側のプラス端子とマイナス端子に略等しい弾性力で電池を確実に接触できる。
【００１７】
さらに、本発明の請求項１と請求項３の充電器は、逆挿入された電池の電流を確実に遮断できる特長がある。それは、これらの充電器が、プラス端子の弾性片の両側に一対の絶縁リブを設けており、一対の絶縁リブの間隔を、プラス電極の外径よりも広くし、かつマイナス電極の外径よりも狭くしているからである。この構造のプラス端子は、プラス電極を絶縁リブの間に案内して弾性片に接触できるが、マイナス電極を絶縁リブで弾性片から離して弾性片に接触できなくする。したがって、逆挿入された電池の電流を確実に遮断できる。
【発明を実施するための最良の形態】
【００１８】
以下、本発明の実施例を図面に基づいて説明する。ただし、以下に示す実施例は、本発明の技術思想を具体化するための充電器を例示するものであって、本発明は充電器を以下のものに特定しない。
【００１９】
さらに、この明細書は、特許請求の範囲を理解しやすいように、実施例に示される部材に対応する番号を、「特許請求の範囲」および「課題を解決するための手段の欄」に示される部材に付記している。ただ、特許請求の範囲に示される部材を、実施例の部材に特定するものでは決してない。
【００２０】
図４ないし図７に示す充電器は、２本の単３電池２０と、パック電池３０を装着して充電する。単３電池２０は、凸部電極のプラス電極２１と平面電極のマイナス電極２２のある規格寸法の電池２０である。パック電池３０は、図８ないし図１１に示すように２本の単３電池２０を逆向きに平行に連結したものである。パック電池３０は、２本の電池２０の間にスペーサー３１を配置して、外側を金属プレート３２で保持して連結している。スペーサー３１はプラスチック製で、２本の単３電池２０を嵌着する溝を両面に設けている。パック電池３０は、２本の電池２０を逆向き、平行に連結しているので、両端にはプラス電極２１とマイナス電極２２を設けている。図８に示すように、プラス電極２１とマイナス電極２２の端部は、同一平面Ａ、Ｂに位置するように配置される。
【００２１】
充電器は、単３電池２０とパック電池３０を脱着できるように装着する装着部２を有するケース１と、ケース１の装着部２に設けられて、装着部２に装着される電池２０のプラス電極２１に接触されるプラス端子３と、電池２０のマイナス電極２２に接触されるマイナス端子４とを備える。図の充電器は、２本の電池２０を装着するので、ふたつのプラス端子３とふたつのマイナス端子４を装着部２に設けている。プラス端子３は電池２０のプラス電極２１に、マイナス端子４は電池２０のマイナス電極２２に接触されて、電池２０を充電する。単３電池２０は、両端にプラス電極２１とマイナス電極２２を設けているので、プラス端子３とマイナス端子４は、互いに対向する位置に配置される。
【００２２】
ケース１の装着部２は、上方を開口して上から電池２０を脱着する。さらに、図の充電器は、図４に示すように、平面視長方形の凹状である装着部２の片側（図４における紙面の下側）の壁面の中央部に凹部９を設けている。このケース１は、凹部９に手を入れて装着部２の電池を簡単に外すことができる。ケース１は、内部に配設しているプラス端子３とマイナス端子４を装着部２に突出させるために端子窓８を開口している。図の充電器は、２本の電池２０を装着するので、ふたつのプラス端子３と、ふたつのマイナス端子４を装着部２に突出させるために４個の端子窓８を開口している。
【００２３】
充電器は、装着部２の一方の端部、図４において右端部である第１の端部２Ａに、固定側のプラス端子３Ａと固定側のマイナス端子４Ａを配置している。装着部２の他方の端部、図４において左端部である第２の端部２Ｂには、誤差吸収側のプラス端子３Ｂと誤差吸収側のマイナス端子４Ｂを配置している。
【００２４】
プラス端子３とマイナス端子４は、弾性金属板５の一端部を折り返すように折曲して先端部に弾性片５Ａを設けている。弾性片５Ａは、ケース１に開口している端子窓８から装着部２に突出して、電池２０の電極に弾性的に押圧して接触される。図１２の断面図に示すように、第２の端部２Ｂ側である誤差吸収側のプラス端子３Ｂと誤差吸収側のマイナス端子４Ｂは、弾性片５Ａが電池２０の軸方向に弾性変形できる最大変形量を、第１の端部２Ａ側である固定側のプラス端子３Ａと固定側のマイナス端子４Ａの弾性片５Ａが電池２０の軸方向に弾性変形できる最大変形量よりも大きくしている。折り返すように折曲した図の弾性金属板５は、立上部５Ｂと弾性片５Ａの間隔を広くして、弾性変形できる最大変形量を大きくしている。ただし、弾性変形できる最大変形量は、弾性片５Ａの変形量をケース１で阻止して調整することができる。たとえば、弾性片５Ａの変形量が少ない状態で、弾性片５Ａやこれに接触している電池２０をケース１に当接させると、弾性変形する変位量を少なくできる。さらに、弾性金属板５の硬さで、弾性変形する変形量をコントロールすることもできる。硬い弾性金属板は、柔軟な弾性金属板に比較して変形量が少なくなるので、固定側のプラス端子と固定側のマイナス端子を、誤差吸収側のプラス端子と誤差吸収側のマイナス端子よりも硬い弾性金属板で製作して、誤差吸収側のプラス端子と誤差吸収側のマイナス端子より変形量を少なくできる。
【００２５】
固定側のプラス端子３Ａと誤差吸収側のプラス端子３Ｂは、電池２０のプラス電極２１にのみ接触して、マイナス電極２２には接触しない構造としている。このことを実現するために、固定側のプラス端子３Ａは、弾性片５Ａの両側にケース１に一体的に成形している絶縁リブ７を配置している。誤差吸収側のプラス端子３Ｂは、図１３と図１４に示すように、弾性金属板５の弾性片５Ａに絶縁カバー６を連結している。絶縁カバー６は、プラスチック等の絶縁材で製作されて、弾性片５Ａと共に電池２０の軸方向に移動できるように弾性片５Ａに連結される。さらに、この絶縁カバー６は、弾性片５Ａの両側に一対の絶縁リブ７を配置している。
【００２６】
ケース１の固定側のプラス端子３Ａに設けられた一対の絶縁リブ７、誤差吸収側のプラス端子３Ｂの絶縁カバー６に設けている一対の絶縁リブ７は平行で、上下方向に延在している。この絶縁リブ７は、電池２０を上下に移動させて装着部２にスムーズに出し入れできる。絶縁リブ７の間隔は、電池２０の円柱状凸部であるプラス電極２１の外径よりも広く、かつマイナス電極２２の外径、すなわち、円柱状電池２０の外径よりも狭くしている。これらの絶縁リブ７は、プラス電極２１の凸部電極を絶縁リブ７の間に案内して弾性片５Ａに接触できる。また、仮に、誤って電池２０のマイナス電極２２を、絶縁リブ７を有する固定側のプラス端子３Ａや誤差吸収側のプラス端子３Ｂに接続しようとしても、マイナス電極２２は、円形の平面であり絶縁リブ７の間に侵入できず、絶縁リブ７でマイナス電極２２を弾性片５Ａから離して、弾性片５Ａに接触しない状態、すなわち非接触状態とする。
【００２７】
絶縁カバー６は、絶縁材であるプラスチックを成形して製作される。絶縁カバー６は、弾性片５Ａの両横側を保持する隙間１０を設けており、この隙間１０に弾性片５Ａを案内して、弾性片５Ａに連結される。絶縁カバー６を連結する弾性片５Ａは、図１２ないし図１４に示すように、先端部の垂直プレート部５ａと、この垂直プレート部５ａの上方にある傾斜プレート部５ｂからなり、傾斜プレート部５ｂの上端を所定の曲率半径で湾曲して立上部５Ｂに連結している。絶縁カバー６は、弾性片５Ａの垂直プレート部５ａの背面に沿う本体部６Ａと、傾斜プレート部５ｂの背面に配置される上端部６Ｂとを備え、本体部６Ａの前面に係止片１１を設けている。係止片１１は、弾性片５Ａの前面をカバーする位置にあって、係止片１１の内側に隙間１０を形成している。この隙間１０に弾性片５Ａを案内して、係止片１１でもって、弾性片５Ａに抜けないように絶縁カバー６を連結している。
【００２８】
さらに、絶縁カバー６を弾性片５Ａに抜けないように連結するために、図１２の断面図に示すように、弾性片５Ａに抜止片１２を設けて、絶縁カバー６に係止部１３を設けている。抜止片１２は、弾性片５Ａの垂直プレート部５ａを裁断して設けられる。この抜止片１２は、所定の幅で上下縦方向２条に裁断し、裁断部分の上端を連結するように裁断して成形される。抜止片１２は、下端が弾性片５Ａに連結されており、上端を内側に突出させるように折曲して設けられる。係止部１３は、図１２の断面図に示すように、絶縁カバー６の本体部６Ａにおいて、弾性片５Ａとの対向面であって、抜止片１２を案内できる位置に設けている。図の絶縁カバー６は、本体部６Ａに貫通孔１４を設けており、この貫通孔１４の上部で、弾性片５Ａとの対向面に係止部１３が位置している。
【００２９】
以上の構造の弾性片５Ａは、垂直プレート部５ａを絶縁カバー６の隙間１０に挿入して、絶縁カバー６を抜けないように連結できる。垂直プレート部５ａを隙間１０に挿入するとき、抜止片１２が弾性的に変形し、絶縁カバー６の定位置まで弾性片５Ａを挿入すると、抜止片１２が係止部１３に案内される。この状態になると、絶縁カバー６は抜けないように弾性片５Ａに連結される。絶縁カバー６が下方向に抜けようとすると、抜止片１２が係止部１３に係止されるからである。このため、この構造は、弾性片５Ａを絶縁カバー６に挿入して、簡単かつ容易に、しかも抜けないように、定位置に連結される。
【００３０】
さらに、図１４に示す絶縁カバー６は、上端の両側に突出軸１５を一体的に成形して設けている。この突出軸１５は、ケース１の内側に配設される。この構造の絶縁カバー６は、突出軸１５をケース１の内面に当接させて、突出軸１５を中心に傾動できる。このため、垂直プレート部５ａが電池２０に押されて弾性片５Ａが変形するとき、絶縁カバー６をスムーズに傾動できる特徴がある。また、絶縁カバー６がケース１に設けた端子窓８の定位置に傾動できるように配置できる特徴もある。ただし、絶縁カバーは、必ずしも突出軸を設ける必要はない。それは、弾性片５Ａに連結されるので、弾性片５Ａを介してケース１に開口している端子窓８に配置できるからである。
【００３１】
弾性金属板５は、誤差吸収側のプラス端子３Ｂの弾性片５Ａにのみ絶縁カバー６を連結している。誤差吸収側のマイナス端子４Ｂの弾性片５Ａには絶縁カバーを連結しない。ただし、図４の平面図に示すように、誤差吸収側のマイナス端子４Ｂは、誤差吸収側のプラス端子３Ｂと同じ位置まで突出して、弾性変形できる変位量を誤差吸収側のプラス端子３Ｂと同じようにしている。
【００３２】
誤差吸収側のプラス端子３Ｂと誤差吸収側のマイナス端子４Ｂの弾性片５Ａは、弾性金属板５を折曲加工して、図１２の断面図に示すように、垂直プレート部５ａに傾斜プレート部５ｂを連結する形状としている。誤差吸収側のプラス端子３Ｂと誤差吸収側のマイナス端子４Ｂの弾性片５Ａは、図１２と図６に示すように、垂直プレート部５ａと傾斜プレート部５ｂの境界に接触凸部１６を設けている。この弾性片５Ａは、接触凸部１６を凸部電極に接触させて、接触不良を少なくしながら電池２０を充電できる。また、誤差吸収側のプラス端子３Ｂは、図１２の断面図に示すように、弾性片５Ａの下端を、端子窓８の下端縁でケース１の内面に弾性的に押圧する状態で当接させて、定位置に停止している。また、図１２は、誤差吸収側のプラス端子３Ｂを示しているが、絶縁カバー７を除くなら、誤差吸収側のマイナス端子４Ｂの断面も同じ構造となり、誤差吸収側のマイナス端子４Ｂの弾性片５Ａは、弾性片５Ａの下端を端子窓８の下端縁でケースの内面に弾性的に押圧する状態で当接させて定位置に停止している。以上の構造は、電池２０をスムーズに装着部２に装着して、弾性片５Ａを電池２０の電極にしっかりと押しつけて、弾性片５Ａと電池２０との接触不良を少なくできる特徴がある。
【００３３】
固定側のプラス端子３Ａと固定側のマイナス端子４Ａの弾性片５Ａは、中央を電池２０の電極に向かって突出させる山形として、頂上部分に接触凸部１６を設けている。固定側のプラス端子３Ａと固定側のマイナス端子４Ａは、弾性片５Ａの弾性変位量が少ない。図１２に示す固定側の弾性片５Ａは、下端縁を立上部５Ｂに接近させる山形に折曲加工している。図１２は、固定側のマイナス端子４Ａの断面を示しているが、固定側のプラス端子３Ａの断面も同じ構造となる。この弾性片５Ａは、弾性片５Ａの下端と立上部５Ｂとの間隔を狭くして、電池２０に押されて変形する弾性変位量を誤差吸収側の弾性片５Ａよりも小さくできる。また、固定側の弾性片５Ａは、誤差吸収側の弾性片５Ａよりも変形し難い硬い、あるいは厚い弾性金属板を使用して、弾性変位量を少なくすることもできる。図１２に示す固定側の弾性片５Ａは、立上部５Ｂに接近させて、弾性変位量を小さくしているが、弾性片５Ａの下端部を端子窓８の下縁でケース１の内面に当接して、弾性変位量を小さくすることもできる。
【００３４】
弾性金属板５は、図１２の断面図に示すように回路基板１７に半田付等の構造で下端を固定している。弾性金属板５は、回路基板１７を介して充電回路（図示せず）に接続される。充電回路を実現する電子部品（図示せず）は、回路基板１７に実装されている。
【００３５】
以上の充電器は、単３電池２０とパック電池３０の両方を充電できる。単３電池２０が装着部２にセットされると、単３電池２０のプラス電極２１とマイナス電極２２に、プラス端子３とマイナス端子４が接触される。単３電池２０は、誤差吸収側の弾性片５Ａでもって、固定側のプラス端子３Ａと固定側のマイナス端子４Ａに押し付けられる。このため、装着部２にセットされる単３電池２０は、固定側のプラス端子３Ａと固定側のマイナス端子４Ａで定位置に装着される。単３電池２０は、充電容量で多少全長が異なるが、長さの相違は、誤差吸収側のプラス端子３Ｂと誤差吸収側のマイナス端子４Ｂの弾性変位量が変化して吸収される。
【００３６】
また、単３電池２０を２本平行に連結しているパック電池３０が装着されると、プラス電極２１とマイナス電極２２に、プラス端子３とマイナス端子４が接触される。パック電池３０は、誤差吸収側の弾性片５Ａでもって、固定側のプラス端子３Ａと固定側のマイナス端子４Ａに押し付けられる。このため、装着部２にセットされるパック電池３０も、固定側のプラス端子３Ａと固定側のマイナス端子４Ａで定位置に装着される。
【図面の簡単な説明】
【００３７】
【図１】従来の充電器の一部切欠斜視図である。
【図２】図１に示す充電器のマイナス端子の斜視図である。
【図３】図１に示す充電器のプラス端子の板材の斜視図である。
【図４】本発明の一実施例にかかる充電器の装着部の平面図である。
【図５】図４に示す充電器の一部断面正面図である。
【図６】図４に示す充電器のＡ−Ａ線断面図である。
【図７】図４に示す充電器のＢ−Ｂ線断面図である。
【図８】図４に示す充電器に装着されるパック電池の一例を示す平面図である。
【図９】図８に示すパック電池の側面図である。
【図１０】図８に示すパック電池の背面図である。
【図１１】図８に示すパック電池の正面図である。
【図１２】図４に示す充電器の弾性金属板の位置関係を示す断面図であって、図４のＣ−Ｃ線断面に相当する図である。
【図１３】図４に示す充電器の誤差吸収側のプラス端子を示す拡大斜視図である。
【図１４】図１３に示す誤差吸収側のプラス端子の弾性金属板と絶縁カバーを示す拡大斜視図である。
【符号の説明】
【００３８】
１…ケース
２…装着部              ２Ａ…第１の端部
２Ｂ…第２の端部
３…プラス端子          ３Ａ…固定側のプラス端子
３Ｂ…誤差吸収側のプラス端子
４…マイナス端子        ４Ａ…固定側のマイナス端子
４Ｂ…誤差吸収側のマイナス端子
５…弾性金属板          ５Ａ…弾性片            ５ａ…垂直プレート部
５ｂ…傾斜プレート部
５Ｂ…立上部
６…絶縁カバー          ６Ａ…本体部
６Ｂ…上端部
７…絶縁リブ
８…端子窓
９…凹部
１０…隙間
１１…係止片
１２…抜止片
１３…係止部
１４…貫通孔
１５…突出軸
１６…接触凸部
１７…回路基板
２０…電池
２１…プラス電極
２２…マイナス電極
３０…パック電池
３１…スペーサー  
３２…金属プレート
４２…装着部
４３…プラス端子
４４…マイナス端子
４５…板体
４６…板体
４７…線状ばね
４８…線状ばね
４９…凹溝
５０…凹溝
５１…リブ
【図１】
2006059770.tif 000003
【図２】
2006059770.tif 000004
【図３】
2006059770.tif 000005
【図４】
2006059770.tif 000006
【図５】
2006059770.tif 000007
【図６】
2006059770.tif 000008
【図７】
2006059770.tif 000009
【図８】
2006059770.tif 000010
【図９】
2006059770.tif 000011
【図１０】
2006059770.tif 000012
【図１１】
2006059770.tif 000013
【図１２】
2006059770.tif 000014
【図１３】
2006059770.tif 000015
【図１４】
2006059770.tif 000016